(57)【要約】【課題】紐の両端を容易・迅速に綴じることができる紐綴じ具を提供する。【解決手段】略平行な一対の側片部２を有する。一対の側片部２を底片部４にて連結して紐差込用凹溝を形成する。一対の側片部２に紐Ｓを弾発的に挟む二対の爪部１を形成するとともに、紐差込用凹溝に連通する紐挿通孔７を形成する。紐差込用凹溝の長手方向の一端側と他端側の各々に爪部１を一対ずつ設ける。【選択図】図１
2010214748.tif 000002
【特許請求の範囲】
【請求項１】
略平行な一対の側片部（２）を有し、該一対の側片部（２）を底片部（４）にて連結して紐差込用凹溝（５）を形成し、上記一対の側片部（２）に紐（Ｓ）を弾発的に挟む爪部（１）を形成するとともに、上記紐差込用凹溝（５）に連通する紐挿通孔（７）を形成したことを特徴とする紐綴じ具。
【請求項２】
略平行な一対の側片部（２）を有し、該一対の側片部（２）を底片部（４）にて連結して紐差込用凹溝（５）を形成し、上記一対の側片部（２）に紐（Ｓ）を弾発的に挟む二対の爪部（１）を形成するとともに、上記紐差込用凹溝（５）に連通する紐挿通孔（７）を形成し、上記紐差込用凹溝（５）の長手方向の一端（８）側と他端（９）側の各々に上記爪部（１）を一対ずつ設けたことを特徴とする紐綴じ具。
【請求項３】
略平行な一対の側片部（２）を有し、該一対の側片部（２）を底片部（４）にて連結して紐差込用凹溝（５）を形成し、上記一対の側片部（２）に紐（Ｓ）を弾発的に挟む一対の爪部（１）を形成するとともに、上記紐差込用凹溝（５）に連通する紐挿通孔（７）を形成し、上記一対の爪部（１）を上記紐差込用凹溝（５）の長手方向の一端（８）側に設けるとともに、上記紐差込用凹溝（５）の長手方向の他端（９）側に紐（Ｓ）を固着したことを特徴とする紐綴じ具。
【請求項４】
略平行な一対の略長方形の側片部（２）を有し、該一対の略長方形の側片部（２）の長辺部（３）と長辺部（３）を底片部（４）にて連結して紐差込用凹溝（５）を形成し、上記一対の略長方形の側片部（２）の短辺部（６）に紐（Ｓ）を弾発的に挟む爪部（１）を形成するとともに、上記紐差込用凹溝（５）に連通する紐挿通孔（７）を形成したことを特徴とする紐綴じ具。
【請求項５】
略平行な一対の略長方形の側片部（２）を有し、該一対の略長方形の側片部（２）の長辺部（３）と長辺部（３）を底片部（４）にて連結して紐差込用凹溝（５）を形成し、上記一対の略長方形の側片部（２）の短辺部（６）に紐（Ｓ）を弾発的に挟む二対の爪部（１）を形成するとともに、上記紐差込用凹溝（５）に連通する紐挿通孔（７）を形成し、上記紐差込用凹溝（５）の長手方向の一端（８）側と他端（９）側の各々に上記爪部（１）を一対ずつ設けたことを特徴とする紐綴じ具。
【請求項６】
略平行な一対の略長方形の側片部（２）を有し、該一対の略長方形の側片部（２）の長辺部（３）と長辺部（３）を底片部（４）にて連結して紐差込用凹溝（５）を形成し、上記一対の略長方形の側片部（２）の短辺部（６）に紐（Ｓ）を弾発的に挟む一対の爪部（１）を形成するとともに、上記紐差込用凹溝（５）に連通する紐挿通孔（７）を形成し、上記一対の爪部（１）を上記紐差込用凹溝（５）の長手方向の一端（８）側に設けるとともに、上記紐差込用凹溝（５）の長手方向の他端（９）側に紐（Ｓ）を固着したことを特徴とする紐綴じ具。
【発明の詳細な説明】
【技術分野】
【０００１】
本発明は、紐綴じ具に関する。
【背景技術】
【０００２】
従来、靴、リュックサック、袋物、文房具等の紐の端部を相互に綴じるには、例えば、両端部を蝶結びしていた（例えば、特許文献１参照）。
【０００３】
しかし、蝶結びには手間がかかるという欠点があった。
【先行技術文献】
【特許文献】
【０００４】
【特許文献１】特開２００７−３３０４６６号公報
【発明の概要】
【発明が解決しようとする課題】
【０００５】
解決しようとする課題は、紐の両端を容易・迅速に綴じることができない点である。また、紐を綴じた部分が緩みやすい点である。さらに、強く綴じると結び目をほどきにくい点である。
【課題を解決するための手段】
【０００６】
そこで、本発明に係る紐綴じ具は、略平行な一対の側片部を有し、該一対の側片部を底片部にて連結して紐差込用凹溝を形成し、上記一対の側片部に紐を弾発的に挟む爪部を形成するとともに、上記紐差込用凹溝に連通する紐挿通孔を形成したものである。
また、略平行な一対の側片部を有し、該一対の側片部を底片部にて連結して紐差込用凹溝を形成し、上記一対の側片部に紐を弾発的に挟む二対の爪部を形成するとともに、上記紐差込用凹溝に連通する紐挿通孔を形成し、上記紐差込用凹溝の長手方向の一端側と他端側の各々に上記爪部を一対ずつ設けたものである。
また、略平行な一対の側片部を有し、該一対の側片部を底片部にて連結して紐差込用凹溝を形成し、上記一対の側片部に紐を弾発的に挟む一対の爪部を形成するとともに、上記紐差込用凹溝に連通する紐挿通孔を形成し、上記一対の爪部を上記紐差込用凹溝の長手方向の一端側に設けるとともに、上記紐差込用凹溝の長手方向の他端側に紐を固着したものである。
【０００７】
また、略平行な一対の略長方形の側片部を有し、該一対の略長方形の側片部の長辺部と長辺部を底片部にて連結して紐差込用凹溝を形成し、上記一対の略長方形の側片部の短辺部に紐を弾発的に挟む爪部を形成するとともに、上記紐差込用凹溝に連通する紐挿通孔を形成したものである。
また、略平行な一対の略長方形の側片部を有し、該一対の略長方形の側片部の長辺部と長辺部を底片部にて連結して紐差込用凹溝を形成し、上記一対の略長方形の側片部の短辺部に紐を弾発的に挟む二対の爪部を形成するとともに、上記紐差込用凹溝に連通する紐挿通孔を形成し、上記紐差込用凹溝の長手方向の一端側と他端側の各々に上記爪部を一対ずつ設けたものである。
また、略平行な一対の略長方形の側片部を有し、該一対の略長方形の側片部の長辺部と長辺部を底片部にて連結して紐差込用凹溝を形成し、上記一対の略長方形の側片部の短辺部に紐を弾発的に挟む一対の爪部を形成するとともに、上記紐差込用凹溝に連通する紐挿通孔を形成し、上記一対の爪部を上記紐差込用凹溝の長手方向の一端側に設けるとともに、上記紐差込用凹溝の長手方向の他端側に紐を固着したものである。
【発明の効果】
【０００８】
本発明の紐綴じ具によれば、紐の両端を容易・迅速に綴じることができる。また、紐が緩むことを防止することができる。さらに、紐の綴じた部分を容易に解除することができ、かつ、コンパクトに固定できる。
【図面の簡単な説明】
【０００９】
【図１】本発明の第１の実施の形態を示す斜視図である。
【図２】平面図である。
【図３】図２のＡ−Ａ端面断面図である。
【図４】図２のＢ−Ｂ端面断面図である。
【図５】図２のＣ−Ｃ端面断面図である。
【図６】図２のＤ−Ｄ断面図である。
【図７】第２の実施の形態を示す斜視図である。
【図８】斜視図である。
【図９】斜視図である。
【図１０】要部拡大平面図である。
【図１１】第３の実施の形態の使用状態を示す正面図である。
【図１２】平面図である。
【図１３】図12のＸ−Ｘ端面断面図である。
【図１４】図12のＹ−Ｙ端面断面図である。
【図１５】図12のＺ−Ｚ端面断面図である。
【図１６】かしめの他の例を示す側面図である。
【図１７】かしめの別の例を示す側面図である。
【図１８】かしめのさらに別の例を示す側面図である。
【発明を実施するための形態】
【００１０】
図１は、本発明の第１の実施の形態の使用状態を示す。この紐綴じ具は、靴紐等の紐Ｓを綴じるために用いられる。図１の実線及び点線に示すように紐Ｓを一対の爪部１（後述）に弾発的に挟んだ状態では、紐Ｓが緩む方向の引抜力Ｆを受けても紐Ｓが緩むことを防止することができる。そして、図１の２点鎖線に示すように紐Ｓを一対の爪部１から離脱させた状態では、紐Ｓが矢印Ｊに示すように、緩んだり締まったりすることができる。
【００１１】
具体的には、図１〜図６に示すように、略平行な一対の略長方形の側片部２を有する。一対の略長方形の側片部２の長辺部３と長辺部３を底片部４にて連結して紐差込用凹溝５が形成されている。一対の略長方形の側片部２の短辺部６に紐Ｓを弾発的に挟む二対の爪部１が形成されている。紐差込用凹溝５に連通する紐挿通孔７が形成されている。紐差込用凹溝５の長手方向の一端８側と他端９側の各々に爪部１が一対ずつ設けられている。底片部４は、側片部２に連設されるテーパ面部10を有する。
【００１２】
図２〜図６は、紐Ｓが紐挿通孔７に挿通されて、紐差込用凹溝５に差し込まれ、爪部１に挟まれている状態を示す。図２の引抜力Ｆが作用した際、側片部２の弾性力Ｇ，Ｇにより爪部１が紐Ｓに食い込んで、紐Ｓが緩むことを強力に阻止することができる。
【００１３】
図７は第２の実施の形態を示す。この紐綴じ具は、底片部４（図１参照）が長方形状であって（図示省略）、テーパ面部10を具備しない。その他の構成は、第１の実施の形態と同様である。
この紐綴じ具の使用方法は、まず、紐Ｓを綴じるには、図８に示すように、紐挿通孔７に紐Ｓを挿通させる。その後、紐Ｓを矢印Ｅに示すように移動させて、図９に示すように爪部１に挟む。紐Ｓの綴じた部分を解除するには、逆の手順を行なえば良い。
【００１４】
図10に示すように、側片部２の爪部１の端面11が紐差込用凹溝５の長手方向と成す角度θは、45°≦θ≦90°に設定されている。角度θがこの範囲にある場合、紐Ｓに引抜力Ｆが作用した際、適切に紐Ｓの移動を規制することができる。すなわち、紐Ｓが引抜力Ｆの作用する方向へ引き抜かれて緩むことを防止することができる。角度θが、θ＜45°の場合、紐Ｓに引抜力Ｆが作用した際、紐Ｓが引き抜かれて緩んでしまう虞れがある。また、角度θが、90°＜θの場合、紐Ｓに引抜力Ｆが作用した際、紐Ｓを切断してしまう虞れがある。
【００１５】
図11は、第３の実施の形態の使用状態を示す。差し替え自在なノート類Ｎに用いた場合を例示する。この紐綴じ具は、図11〜図15に示すように、一対の略長方形の側片部２の短辺部６に紐Ｓを弾発的に挟む一対の爪部１が形成されている。一対の爪部１が紐差込用凹溝５の長手方向の一端８側に設けられるとともに、紐差込用凹溝５の長手方向の他端９側に紐Ｓがかしめにより固着されている。かしめの形状は、内部が円形状となる。そして、紐Ｓを円形部分の内側に閉じ込めるようにかしめられている。その他の構成は、第１の実施の形態と同様である。
【００１６】
図16は、かしめの他の例を示す。かしめの形状は、内部が円形状となる。そして、紐Ｓが、円形部分の内側からはみ出すようにかしめられている。
図17は、かしめの別の例を示す。かしめの形状は、内部が一文字型となる。そして、紐Ｓを一文字型になるようにかしめている。
図18は、かしめのさらに別の例を示す。かしめの形状は、内部が三角形状となる。そして、紐Ｓが三角形部分の内側からはみ出すようにかしめられている。
【００１７】
なお、本発明は、設計変更可能であって、例えば、第３の実施の形態のかしめの形状を、内部が四角形状となるように形成しても良い。また、かしめの代わりに、接着その他の固着手段により紐を固着するも良い。また、全体をキャラクターの形状、装飾形状（デザイン性のある形状）等とするも良い。外観に装飾性を持たせることができる。
【００１８】
以上のように、本発明は、略平行な一対の側片部２を有し、一対の側片部２を底片部４にて連結して紐差込用凹溝５を形成し、一対の側片部２に紐Ｓを弾発的に挟む爪部１を形成するとともに、紐差込用凹溝５に連通する紐挿通孔７を形成したので、従来の結び目をさらにコンパクト化して綴じることができ、かつ、紐Ｓの両端を容易・迅速に綴じることができる。また、紐Ｓが緩むことを防止することができる。さらに、紐Ｓの綴じた部分を容易に解除することができる。
【００１９】
また、略平行な一対の側片部２を有し、一対の側片部２を底片部４にて連結して紐差込用凹溝５を形成し、一対の側片部２に紐Ｓを弾発的に挟む二対の爪部１を形成するとともに、紐差込用凹溝５に連通する紐挿通孔７を形成し、紐差込用凹溝５の長手方向の一端８側と他端９側の各々に爪部１を一対ずつ設けたので、従来の結び目をさらにコンパクト化して綴じることができ、かつ、紐Ｓの両端を容易・迅速に綴じることができる。また、紐Ｓが緩むことを防止することができる。さらに、紐Ｓの綴じた部分を容易に解除することができる。靴紐等に適している。
【００２０】
また、略平行な一対の側片部２を有し、一対の側片部２を底片部４にて連結して紐差込用凹溝５を形成し、一対の側片部２に紐Ｓを弾発的に挟む一対の爪部１を形成するとともに、紐差込用凹溝５に連通する紐挿通孔７を形成し、一対の爪部１を紐差込用凹溝５の長手方向の一端８側に設けるとともに、紐差込用凹溝５の長手方向の他端９側に紐Ｓを固着したので、従来の結び目をさらにコンパクト化して綴じることができ、かつ、紐Ｓの両端を容易・迅速に綴じることができる。また、紐Ｓが緩むことを防止することができる。さらに、紐Ｓの綴じた部分を容易に解除することができる。ノート類Ｎ等に適している。
【００２１】
また、略平行な一対の略長方形の側片部２を有し、一対の略長方形の側片部２の長辺部３と長辺部３を底片部４にて連結して紐差込用凹溝５を形成し、一対の略長方形の側片部２の短辺部６に紐Ｓを弾発的に挟む爪部１を形成するとともに、紐差込用凹溝５に連通する紐挿通孔７を形成したので、従来の結び目をさらにコンパクト化して綴じることができ、かつ、紐Ｓの両端を容易・迅速に綴じることができる。また、紐Ｓが緩むことを防止することができる。さらに、紐Ｓの綴じた部分を容易に解除することができる。全体をシンプルな外観とすることができる。
【００２２】
また、略平行な一対の略長方形の側片部２を有し、一対の略長方形の側片部２の長辺部３と長辺部３を底片部４にて連結して紐差込用凹溝５を形成し、一対の略長方形の側片部２の短辺部６に紐Ｓを弾発的に挟む二対の爪部１を形成するとともに、紐差込用凹溝５に連通する紐挿通孔７を形成し、紐差込用凹溝５の長手方向の一端８側と他端９側の各々に爪部１を一対ずつ設けたので、従来の結び目をさらにコンパクト化して綴じることができ、かつ、紐Ｓの両端を容易・迅速に綴じることができる。また、紐Ｓが緩むことを防止することができる。さらに、紐Ｓの綴じた部分を容易に解除することができる。靴紐等に適している。全体をシンプルな外観とすることができる。
【００２３】
また、略平行な一対の略長方形の側片部２を有し、一対の略長方形の側片部２の長辺部３と長辺部３を底片部４にて連結して紐差込用凹溝５を形成し、一対の略長方形の側片部２の短辺部６に紐Ｓを弾発的に挟む一対の爪部１を形成するとともに、紐差込用凹溝５に連通する紐挿通孔７を形成し、一対の爪部１を紐差込用凹溝５の長手方向の一端８側に設けるとともに、紐差込用凹溝５の長手方向の他端９側に紐Ｓを固着したので、従来の結び目をさらにコンパクト化して綴じることができ、かつ、紐Ｓの両端を容易・迅速に綴じることができる。また、紐Ｓが緩むことを防止することができる。さらに、紐Ｓの綴じた部分を容易に解除することができる。ノート類Ｎ等に適している。全体をシンプルな外観とすることができる。
【符号の説明】
【００２４】
１  爪部
２  側片部
３  長辺部
４  底片部
５  紐差込用凹部
６  短辺部
７  紐挿通孔
８  一端
９  他端
Ｓ  紐
【図１】
2010214748.tif 000003
【図２】
2010214748.tif 000004
【図３】
2010214748.tif 000005
【図４】
2010214748.tif 000006
【図５】
2010214748.tif 000007
【図６】
2010214748.tif 000008
【図７】
2010214748.tif 000009
【図８】
2010214748.tif 000010
【図９】
2010214748.tif 000011
【図１０】
2010214748.tif 000012
【図１１】
2010214748.tif 000013
【図１２】
2010214748.tif 000014
【図１３】
2010214748.tif 000015
【図１４】
2010214748.tif 000016
【図１５】
2010214748.tif 000017
【図１６】
2010214748.tif 000018
【図１７】
2010214748.tif 000019
【図１８】
2010214748.tif 000020